(57)【要約】【課題】耳に押し当てたときに、最もよく聞き取れる位置、即ち、受信音声発振孔の位置を耳の触感ですぐ認識でき、耳孔の位置に容易に合わせることが出来る携帯電話機を提供する。【解決手段】受話部の受信音声聞き取り用の受信音声発振孔１の周囲に凸状の膨出部２ａを設けた携帯電話機。【選択図】  図４
2004248010.tif 000002
【特許請求の範囲】
【請求項１】
受話部の受信音声聞き取り用の受信音声発振孔の周囲に凸状の膨出部を設けたことを特徴とする携帯電話機。
【請求項２】
前記凸状の膨出部が、その角部が面取りされて丸みを帯びている膨出部である請求項１に記載の携帯電話機。
【請求項３】
前記凸状の膨出部の高さが１〜１０ｍｍである請求項１又は２のいずれかに記載の携帯電話機。
【請求項４】
前記凸状の膨出部の径が３〜１２ｍｍである請求項１〜３のいずれかに記載の携帯電話機。
【請求項５】
前記凸状の膨出部が、略山状の形状であって、ほぼ中央部に音声発振孔を有する請求項１〜４のいずれかに記載の携帯電話機。
【請求項６】
前記凸状の膨出部が、携帯電話機本体に着脱可能に取り付けられている請求項１〜５のいずれかに記載の携帯電話機。
【発明の詳細な説明】
【０００１】
【発明の属する技術分野】
本発明は、携帯電話機に関する。特に本発明は、受信音声を聞き取り易くするため、受信音声発振孔の位置が、耳孔にあてがわれやすくした携帯電話機に関する。
【０００２】
【従来の技術】
近年、携帯電話機の発展はめざましく、極めて多くの人に利用されている。
【０００３】
近年の携帯電話機の形態は、折りたたみ式が主流となっているが、図１４に従来の携帯電話機の代表的一例の斜視図、図１５に縦方向断面概念図、図１６に図１５の縦方向断面概念図の受話部の部分拡大図を示したが、受話部の受信音声聞き取り用の受信音声発振孔１の存在する部分は、携帯電話機本体の折り畳むときに内面側となる面とほぼ同一の面（図示せず）か、通常は、図１５、図１６に示すように受信音声発振孔１の存在する部分の周囲部分２は若干窪んだ形状になるように携帯電話機本体の筐体が形成されているものが大部分である。受信音声発振孔１の様に小さな孔が開いていることにより、受信音声発振用のスピーカー３の音が聞き取れるようになっている（例えば、非特許文献１参照）。
【０００４】
尚、図１５、図１６において、３は受信音声発振用のスピーカーを示し、図１４、図１５においては、４が携帯電話機通話者の発声音をマイク５に導入するための孔を有するマイク部位であり、図１５の、５は通話者の発声音を受けるマイクである。
【０００５】
【非特許文献１】
ＮＴＴＤｏＣｏＭｏ関西携帯電話パンフレット２００３年ｖｏｌ．２
【０００６】
【発明が解決しようとする課題】
しかし、このような、従来の携帯電話機の受信音声（受話音）は、受信音声発振孔１の様な１個又は複数個の小さな孔より発しているが、受信音声発振孔１の設けられている部分の周囲部分２は若干窪んだ形状になっているか、あるいは携帯電話機本体の筐体面と同一レベルのフラットな状態に形成されているため、耳に押し当てた場合、その孔の場所を耳の触感では認識できず、最も受信音声が聞こえやすい位置、即ち、受信音声発振孔１の位置が耳孔の位置とほぼ同じとなる位置を認識しづらい。そのような場合には、携帯電話機本体を上下左右に動かして、最も聞こえやすい位置を探すことになる。また、周囲部分２の窪みは電話機本体の幅方向のほぼ中央に設けられているが、受信音声発振孔１が、幅方向のほぼ中央からやや外れたところに一つ設けられているタイプのものもある。
【０００７】
このような不便を感じている携帯電話機の利用者は、多数見受けられ、中には、正しい位置に持っていけばもっと聞きやすくなるのに、聞きづらいまま、携帯電話機とはこの程度のものであると容認してしまって使用している人もある。
【０００８】
新幹線やその他の電車のデッキにて通話するときなど、上記の様な原因に加えて、周囲の騒音が大きいため、電話機を耳に強く押し当てて騒音の侵入を防ごうとするが、耳の形状に違いはあるものの、耳介などを押さえることになり、更に聞こえにくくなる場合もある。このような時に、最もよく聞き取れる位置が判り易ければ、必要以上に電話機を耳に押し当てる必要はない。
【０００９】
本発明は、携帯電話機の受話部を耳に押し当てたときに、最もよく聞き取れる位置、即ち、受信音声発振孔の位置を耳の触感ですぐ認識でき、耳孔の位置に容易に合わせることが出来る携帯電話機を提供することを目的とする。
【００１０】
【課題を解決するための手段】
上記の目的を達成するため、本発明の携帯電話機は、受話部の受信音声聞き取り用の受信音声発振孔の周囲に凸状の膨出部を設けたことを特徴とする。
【００１１】
【発明の実施の形態】
上記本発明の携帯電話機においては、前記凸状の膨出部が、その角部が面取りされて丸みを帯びている膨出部であることが好ましい。
【００１２】
また、上記本発明の携帯電話機においては、前記凸状の膨出部の高さが１〜１０ｍｍであることが好ましい。
【００１３】
また、上記本発明の携帯電話機においては、前記凸状の膨出部の径が３〜１２ｍｍであることが好ましい。
【００１４】
また、上記本発明の携帯電話機においては、前記凸状の膨出部が、略山状の形状であって、ほぼ中央部に音声発振孔を有することが好ましい。
【００１５】
また、上記本発明の携帯電話機においては、前記凸状の膨出部が、携帯電話機本体に着脱可能に取り付けられていることが好ましい。
【００１６】
上述のように、本発明の携帯電話機は、受話部の受信音声聞き取り用の受信音声発振孔の周囲に凸状の膨出部を設けているため、凸状の膨出部は、耳に押し当てた際に、耳の触感で容易に認識でき、受信音声発振孔の設けられた凸状の膨出部を耳孔の位置に簡単に押し当てることが出来、従って、周囲の騒音が大きい環境においても、受信音声の聴き取りやすい携帯電話機を提供できる。
【００１７】
図１に、本発明の携帯電話機の一実施の形態例の斜視図、図２に本発明の携帯電話機の一実施の形態例の縦方向断面概念図、図３に図２の縦方向断面概念図の受話部の部分拡大図を示した。また、図４に、本発明の携帯電話機の別の一実施の形態例の縦方向断面概念図、図５に図４の縦方向断面概念図の受話部の部分拡大図を示した。これらの縦方向断面概念図は、説明に必要な部分のみ概念に描いたものであり、現実の携帯電話機の内部構造の詳細などは描いていない。以下の縦方向断面概念図についても同様である。
【００１８】
図６、図７はそれぞれ、着脱可能に取り付けられている凸状の膨出部を説明するための本発明の携帯電話機の別の一実施の形態例の受話部の部分拡大縦方向断面概念図であり、図８、図９、図１２はそれぞれ、凸状の膨出部の断面形状の別の態様を説明するために示した本発明の携帯電話機の別の一実施の形態例の受話部の部分拡大縦方向断面概念図であり、図１０、図１１、図１３はそれぞれ、凸状の膨出部の平面形状の別の態様を説明するために示した本発明の携帯電話機の別の一実施の形態例の受話部の部分平面図である。
【００１９】
各図において、１は受信音声発振孔、２は受信音声発振孔の周囲部分、２ａは凸状の膨出部、３は受信音声発振用のスピーカー、４は携帯電話機通話者の発声音をマイクに導入するための孔、５は通話者の発声音を受けるマイク、６は面取りされて丸みを帯びている凸状の膨出部の角部、７は凸状の膨出部の受信音声発振孔側の縁、１０は凸状の膨出部を携帯電話機本体に取り付けるためのねじ部、１１は凸状の膨出部を携帯電話機本体に取り付けるための嵌合用突出部を示している。
【００２０】
図１〜図１３に示すように、本発明の携帯電話機においては、受話部の受信音声聞き取り用の受信音声発振孔１の周囲に凸状の膨出部２ａが設けられている。
【００２１】
図２〜図９及び図１２の断面概念図から、受信音声発振孔１の周囲に凸状の膨出部２ａが、携帯電話機本体の筺体面から凸状に膨出していることが理解される。
【００２２】
図２〜図７は凸状の膨出部２ａの形状が略山状の形状の場合の態様を示している。図８は、凸状の膨出部２ａの断面形状が略長方形状であり、図９は、凸状の膨出部２ａの断面形状が略台形状である態様を示している。凸状の膨出部２ａの形状は、そのほか図示していないが、下部が切り取られたような球状などでもよく、本発明の目的を達成できれば、特にその形状は限定されない。尚、例えば図８、図９に示したごとく凸状の膨出部２ａの断面形状が略長方形状とか、略台形状とかで、凸状の膨出部に角部が角張っている様な場合には、耳に当接された際に、角部が耳に当たって痛みを感じることがあるので、それを防止するために、凸状の膨出部の角部で、耳に当たりやすい部分（角部６）には、その角部が面取りされて丸みを帯びた膨出部とすることが好ましい。尚、凸状の膨出部の孔１の径が比較的小さい場合には、耳に引っかかることはないので、凸状の膨出部の受信音声発振孔側の縁７で示される部分は、特に面取りして丸みを帯びた形状にする必要はない。図２〜図７のような態様の場合でも同様である。しかし、必要に応じて、この部分も面取りして丸みを帯びた形状にすることは、任意である。凸状の膨出部２ａの形状がほぼ中央部に音声発振孔を有する略山状の形状のものは、形状も比較的単純であり、また、耳孔にも容易にあてがいやすく、周囲の騒音なども緩和されやすくより好ましい。
【００２３】
また、受信音声発振孔１の周囲部分２の凸状の膨出部２ａの平面形状は、図１に示すような丸形状、図１０に示すような楕円形状、図１１に示すような６角形状、そのほか図示していないが、３〜８角形またはそれ以上の多角形状など、本発明の目的が達成される限り任意である。多角形状の場合には、２つの辺と辺が連結する角部において、必要に応じて符号８（図１１参照）で示したように角部８を角ばらせずに丸みを帯びさせておくことも耳への接触感を良好にでき好ましい。
【００２４】
また、受信音声発振孔１の孔が図１３、図１２（図１２は図１３の縦方向断面概念図に相当する図）に示されるように複数個存在する場合には、凸状の膨出部２ａは、図１３、図１２に示したように、複数の受信音声発振孔１の全部を取り囲んで包含するような輪状に形成してもよい。
【００２５】
また、前記凸状の膨出部の高さは、１〜１０ｍｍであることが好ましく、あまりに低すぎると、受信音声発振孔の位置を耳の触感ですぐ認識できるという機能が低下する傾向になり、あまりに膨出部の高さが高すぎると、不必要に邪魔になり、かえって耳孔に当接しにくくなる傾向になる。特に、４〜６ｍｍ前後の範囲がより好ましい。
【００２６】
また、上記本発明の携帯電話機においては、前記凸状の膨出部の径は耳に宛がいやすい大きさであれば良く、特に限定するものではないが、おおよそ３〜１２ｍｍの範囲が好ましい。あまり大きすぎると耳孔に当接しにくくなる傾向になり、また、携帯電話機の限られた領域を不必要に占有することになり、画像表示部の面積を小さくせざるを得なくなる傾向になる。あまりに小さすぎる場合には、耳孔の中心部に音声発振孔の位置を合わせにくくなる傾向になるし、また、凸状の膨出部の位置を耳の触感で認識しにくくなる傾向になる。おおよそ５〜１０ｍｍの範囲がより好ましい。凸状の膨出部が楕円形状や、長方形状など、ヨコに長い場合など径が均一でない場合には、最短径と最長径がともにおおよそ３〜１２ｍｍの範囲に入ることが好ましいが、これに限定されるものではない。
【００２７】
尚、凸状の膨出部を有することにより、受話音においては、スピーカーより出た音を、従来のものと比べて、発信部であるスピーカーから音の出口までの距離を若干長く、しかも通路状に保てるため、その構造を利用して例えばメガホンの様な原理で音質の向上も図りやすいというメリットもある。特に、図４、図５で示した態様は、図２、図３で示した態様よりも、発信部であるスピーカー３から音の出口までの距離をより長くした構造である。より好ましくは、図４，図５で示すような、スピーカー３からでた音が、不必要に周囲に発散しないように、少なくともスピーカー３の上面から受信音声発振孔の出口までが、通路になるよう囲い通路９などを設けておくことも好ましい。尚、図６〜９、図１２のものもこのように発信部であるスピーカーから音の出口までの距離をより長くし、囲い通路９を設けた構造の態様である。
【００２８】
また、凸状の膨出部の形状は、前述したように、本発明の機能が達成できる限り、どのような形状でもよいが、いくつかの形状及び／又は大きさの異なる凸状の膨出部を用意し、凸状の膨出部を携帯電話機本体に着脱可能に取り付けられる態様として、使用者の耳の形状、耳の大きさ、好み、などに応じて、最適なものを選んで、交換して取り付けて使用できるようにすることは好ましい。
【００２９】
図６に示した態様は、凸状の膨出部２ａを携帯電話機本体にネジ部１０（雄ネジでも雌ネジでもよいが、図示したものは雄ネジ部）を筺体より突出させて設け、凸状の膨出部２ａにそれと螺合可能な雌ネジを切って、ネジ機構により着脱可能に取り付けられる態様のものである。
【００３０】
また、図７に示した態様は、凸状の膨出部を携帯電話機本体に取り付けるための携帯電話機本体から突出して設けられた嵌合用突出部１１を筺体より突出させて設け、凸状の膨出部２ａの孔の少なくとも一部の孔径をそれと嵌合可能な径にして、スライドさせて嵌合用突出部１１に凸状の膨出部２ａをはめ込むことにより着脱可能に取り付けられる態様のものである。
【００３１】
また、図１、図２、図４に示したように、携帯電話機通話者の発声音をマイクに導入するための孔４の近傍を必要に応じて凹んだ形に成形して、携帯電話機を折りたたんだ際に、凸状の膨出部２ａが、この凹部に収納できるようにすることも好ましい。マイク部分やその周辺部は、その位置を受信音声発振孔１のように、触感で探るなどの機能を持たせる必要がないので、凹んだ形になっても問題はない。
【００３２】
【発明の効果】
本発明の携帯電話機は、受話部の受信音声聞き取り用の受信音声発振孔の周囲に凸状の膨出部を設けているため、凸状の膨出部は、耳に押し当てた際に、耳の触感で容易に認識でき、受信音声発振孔の設けられた凸状の膨出部を耳孔の位置に簡単に押し当てることが出来、従って、周囲の騒音が大きい環境においても、受信音声の聴き取りやすい携帯電話機を提供できる。
【００３３】
また、上記本発明の携帯電話機において、前記凸状の膨出部が、その角部が面取りされて丸みを帯びている膨出部である本発明の好ましい態様とすることにより、凸状の膨出部の角部が耳に当たって痛みを感じたりすることがなく、耳にあてがったときの感触を良好にすることができ好ましい。
【００３４】
また、上記本発明の携帯電話機において、前記凸状の膨出部の高さが１〜１０ｍｍである本発明の好ましい態様とすることにより、凸状の膨出部の位置を耳の触感ですぐ認識できやすく、しかも不必要に高すぎて邪魔になることもなく、耳孔に当接し易く好ましい。
【００３５】
また、上記本発明の携帯電話機において、前記凸状の膨出部の径が３〜１２ｍｍである本発明の好ましい態様とすることにより、凸状の膨出部が耳に宛がいやすい大きさとなり好ましい。すなわち、あまりに大きすぎて耳孔に当接しにくくなったり、また、携帯電話機の限られた領域を不必要に占有することにより、画像表示部の面積を小さくせざるを得なくなるということもなく、また、あまりに小さすぎて、耳孔の中心部に音声発振孔の位置を合わせにくくなったり、また、凸状の膨出部の位置を耳の触感で認識しにくくなるという恐れもなく好ましい。
【００３６】
また、上記本発明の携帯電話機において、前記凸状の膨出部が、略山状の形状であって、ほぼ中央部に音声発振孔を有する本発明の好ましい態様とすることにより、この形状のものは、形状も比較的単純であり製造もし易く、また、耳孔にも容易にあてがいやすく、周囲の騒音なども緩和されやすく好ましい。
【００３７】
また、上記本発明の携帯電話機において、前記凸状の膨出部が、携帯電話機本体に着脱可能に取り付けられている本発明の好ましい態様とすることにより、凸状の膨出部を、使用者の耳の形状、耳の大きさ、好み、などに応じて、最適なものを選んで、交換して取り付けて使用できるので好ましい。
【図面の簡単な説明】
【図１】本発明の携帯電話機の一実施の形態例の斜視図。
【図２】本発明の携帯電話機の一実施の形態例の縦方向断面概念図。
【図３】図２の縦方向断面概念図の受話部の部分拡大図。
【図４】本発明の携帯電話機の別の一実施の形態例の縦方向断面概念図。
【図５】図４の縦方向断面概念図の受話部の部分拡大図。
【図６】本発明の携帯電話機の別の一実施の形態例の受話部の部分拡大縦方向断面概念図。
【図７】本発明の携帯電話機の別の一実施の形態例の受話部の部分拡大縦方向断面概念図。
【図８】本発明の携帯電話機の別の一実施の形態例の受話部の部分拡大縦方向断面概念図。
【図９】本発明の携帯電話機の別の一実施の形態例の受話部の部分拡大縦方向断面概念図。
【図１０】本発明の携帯電話機の別の一実施の形態例の受話部の部分平面図。
【図１１】本発明の携帯電話機の別の一実施の形態例の受話部の部分平面図。
【図１２】本発明の携帯電話機の別の一実施の形態例の受話部の部分拡大縦方向断面概念図。
【図１３】本発明の携帯電話機の別の一実施の形態例の受話部の部分平面図。
【図１４】従来の携帯電話機の代表的一例の斜視図。
【図１５】従来の携帯電話機の一例の縦方向断面概念図。
【図１６】図１５の縦方向断面概念図の受話部の部分拡大図。
【符号の説明】
１    受信音声発振孔
２    受信音声発振孔の周囲部分
２ａ  凸状の膨出部
３    受信音声発振用のスピーカー
４    通話者の発声音をマイクに導入するための孔
５    マイク
６    面取りされて丸みを帯びている凸状の膨出部の角部
７    凸状の膨出部の受信音声発振孔側の縁
８    角部
９    囲い通路
１０  凸状の膨出部を携帯電話機本体に取り付けるためのねじ部
１１  凸状の膨出部を携帯電話機本体に取り付けるための嵌合用突出部
【図１】
2004248010.tif 000003
【図２】
2004248010.tif 000004
【図３】
2004248010.tif 000005
【図４】
2004248010.tif 000006
【図５】
2004248010.tif 000007
【図６】
2004248010.tif 000008
【図７】
2004248010.tif 000009
【図８】
2004248010.tif 000010
【図９】
2004248010.tif 000011
【図１０】
2004248010.tif 000012
【図１１】
2004248010.tif 000013
【図１２】
2004248010.tif 000014
【図１３】
2004248010.tif 000015
【図１４】
2004248010.tif 000016
【図１５】
2004248010.tif 000017
【図１６】
2004248010.tif 000018